【手続補正書】
【提出日】平成17年11月18日(2005.11.18)
【手続補正１】
【補正対象書類名】明細書
【補正対象項目名】発明の名称
【補正方法】変更
【補正の内容】
【発明の名称】画像形成方法、画像形成システム及び画像形成装置
【手続補正２】
【補正対象書類名】明細書
【補正対象項目名】特許請求の範囲
【補正方法】変更
【補正の内容】
【特許請求の範囲】【請求項１】  通信回線を介して接続された、画像データを送信する送信側装置と該画像データを受信して画像形成する受信側装置とを用いた画像形成方法であって、  前記送信側装置は、  自装置におけるデータ機密モードの設定の有無を判定し、  該自装置にデータ機密モードの設定がされていると判定した場合、前記受信側装置におけるデータ機密モードの設定の有無を判定し、  前記受信側装置にデータ機密モードの設定がされていると判定した場合、該受信側装置に対して前記画像データを送信し、  前記受信側装置は、  前記送信側装置から送信された前記画像データを受信し、  受信した該画像データを記憶装置に記憶し、  前記画像データの画像形成を行い、  前記記憶装置に記憶された前記画像データを前記受信側装置に設定された前記データ機密モードに基づいて消去する  ことを特徴とする画像形成方法。【請求項２】  前記受信側装置における前記データ機密モードに基づいた前記画像データの消去が、該画像データに関するＦＡＴの更新、０データによる該画像データの上書き、又はランダムデータによる該画像データの上書きのいずれかであることを特徴とする請求項１に記載の画像形成方法。【請求項３】  前記送信側装置が、自装置においてデータ機密モードの設定がされていないと判定した場合、前記受信側装置におけるデータ機密モードの設定の有無を判定することなく、該受信側装置に対して前記画像データを送信し、  前記受信側装置は、受信した前記画像データの画像形成を行った後、前記記憶装置に記憶された前記画像データを該受信側装置における前記データ機密モードに従って消去する  ことを特徴とする請求項１又は２に記載の画像形成方法。【請求項４】  前記送信側装置が、前記受信側装置においてデータ機密モードの設定がされていないと判定した場合、該受信側装置に対して前記画像データを送信せずにジョブの実行を中止することを特徴とする請求項１から３までのいずれか１項に記載の画像形成方法。【請求項５】  前記送信側装置が、  自装置においてデータ機密モードの設定がされていると判定した場合、さらに該データ機密モードの機密レベルを判定し、  前記受信側装置においてデータ機密モードの設定がされていると判定した場合、さらに該データ機密モードの機密レベルを判定し、  自装置の機密レベルと前記受信側装置の機密レベルとを比較し、  前記受信側装置の機密レベルが前記送信側装置の機密レベルよりも低くないと判定された場合、該受信側装置に対して前記画像データを送信する  ことを特徴とする請求項１から４までのいずれか１項に記載の画像形成方法。【請求項６】  前記送信側装置が、前記受信側装置の機密レベルが前記送信側装置の機密レベルよりも低いと判定した場合、該受信側装置に対して前記画像データを送信せずにジョブの実行を中止することを特徴とする請求項５記載の画像形成方法。【請求項７】  通信回線を介して接続された、画像データを送信する送信側装置と該画像データを受信して画像形成する受信側装置とを備える画像形成システムであって、  前記送信側装置が、  自装置におけるデータ機密モードの設定の有無を判定する第１の判定手段と、  該自装置にデータ機密モードの設定がされていると判定した場合、前記受信側装置におけるデータ機密モードの設定の有無を判定する第２の判定手段と、  前記受信側装置にデータ機密モードの設定がされていると判定した場合、該受信側装置に対して前記画像データを送信する送信手段とを備え、  前記受信側装置が、  前記送信側装置から送信された前記画像データを受信する受信手段と、  受信した該画像データを記憶装置に記憶する記憶手段と、  前記画像データの画像形成を行う形成手段と、  前記記憶装置に記憶された前記画像データを前記受信側装置に設定された前記データ機密モードに基づいて消去する消去手段とを備える  ことを特徴とする画像形成システム。【請求項８】  前記消去手段が、前記画像データに関するＦＡＴの更新、０データによる該画像データの上書き、又はランダムデータによる該画像データの上書きのいずれかを実行することを特徴とする請求項７記載の画像形成システム。【請求項９】  前記送信側装置が、自装置においてデータ機密モードの設定がされていないと判定した場合、前記受信側装置におけるデータ機密モードの設定の有無を判定することなく、該受信側装置に対して前記画像データを送信し、  前記受信側装置は、受信した前記画像データの画像形成を行った後、前記記憶装置に記憶された前記画像データを該受信側装置における前記データ機密モードに従って消去する  ことを特徴とする請求項７又は８に記載の画像形成システム。【請求項１０】  前記送信側装置が、前記受信側装置においてデータ機密モードの設定がされていないと判定した場合、該受信側装置に対して前記画像データを送信せずにジョブの実行を中止することを特徴とする請求項７から９までのいずれか１項に記載の画像形成システム。【請求項１１】  前記送信側装置が、  自装置においてデータ機密モードの設定がされていると判定した場合、さらに該データ機密モードの機密レベルを判定する第３の判定手段と、  前記受信側装置においてデータ機密モードの設定がされていると判定した場合、さらに該データ機密モードの機密レベルを判定する第４の判定手段と、  自装置の機密レベルと前記受信側装置の機密レベルとを比較する比較手段とをさらに備え、  前記受信側装置の機密レベルが前記送信側装置の機密レベルよりも低くないと判定された場合、前記送信手段は、該受信側装置に対して前記画像データを送信する  ことを特徴とする請求項７から１０までのいずれか１項に記載の画像形成システム。【請求項１２】  前記送信側装置が、前記受信側装置の機密レベルが前記送信側装置の機密レベルよりも低いと判定した場合、該受信側装置に対して前記画像データを送信せずにジョブの実行を中止することを特徴とする請求項１１記載の画像形成システム。【請求項１３】  画像データを画像形成する受信側装置と通信回線を介して接続された画像形成装置であって、  自装置におけるデータ機密モードの設定の有無を判定する第１の判定手段と、  該自装置にデータ機密モードの設定がされていると判定した場合、前記受信側装置におけるデータ機密モードの設定の有無を判定する第２の判定手段と、  前記受信側装置にデータ機密モードの設定がされていると判定した場合、該受信側装置に対して前記画像データを送信する送信手段と  を備えることを特徴とする画像形成装置。【請求項１４】  画像データを送信する送信側装置と通信回線を介して接続された画像形成装置であって、  前記送信側装置から送信された前記画像データを受信する受信手段と、  受信した該画像データを記憶装置に記憶する記憶手段と、  前記画像データの画像形成を行う形成手段と、  前記記憶装置に記憶された前記画像データを自装置に設定された前記データ機密モードに基づいて消去する消去手段と  を備えることを特徴とする画像形成装置。【手続補正３】
【補正対象書類名】明細書
【補正対象項目名】００１１
【補正方法】変更
【補正の内容】
【００１１】  本発明は、このような事情を考慮してなされたものであり、リモートコピーを行うデジタル複写機等に送信し、画像形成された画像データ等に対する画像形成後の機密性を好適に保持することができる画像形成方法、画像形成システム及び画像形成装置を提供することを目的とする。
【手続補正４】
【補正対象書類名】明細書
【補正対象項目名】００１２
【補正方法】変更
【補正の内容】
【００１２】    【課題を解決するための手段】  上記課題を解決するために、本発明は、通信回線を介して接続された、画像データを送信する送信側装置と該画像データを受信して画像形成する受信側装置とを用いた画像形成方法であって、前記送信側装置は、自装置におけるデータ機密モードの設定の有無を判定し、該自装置にデータ機密モードの設定がされていると判定した場合、前記受信側装置におけるデータ機密モードの設定の有無を判定し、前記受信側装置にデータ機密モードの設定がされていると判定した場合、該受信側装置に対して前記画像データを送信し、前記受信側装置は、前記送信側装置から送信された前記画像データを受信し、受信した該画像データを記憶装置に記憶し、前記画像データの画像形成を行い、前記記憶装置に記憶された前記画像データを前記受信側装置に設定された前記データ機密モードに基づいて消去することを特徴とする。  また、上記課題を解決するために、本発明は、通信回線を介して接続された、画像データを送信する送信側装置と該画像データを受信して画像形成する受信側装置とを備える画像形成システムであって、前記送信側装置が、自装置におけるデータ機密モードの設定の有無を判定する第１の判定手段と、該自装置にデータ機密モードの設定がされていると判定した場合、前記受信側装置におけるデータ機密モードの設定の有無を判定する第２の判定手段と、前記受信側装置にデータ機密モードの設定がされていると判定した場合、該受信側装置に対して前記画像データを送信する送信手段とを備え、前記受信側装置が、前記送信側装置から送信された前記画像データを受信する受信手段と、受信した該画像データを記憶装置に記憶する記憶手段と、前記画像データの画像形成を行う形成手段と、前記記憶装置に記憶された前記画像データを前記受信側装置に設定された前記データ機密モードに基づいて消去する消去手段とを備えることを特徴とする。  さらに、上記課題を解決するために、本発明は、画像データを画像形成する受信側装置と通信回線を介して接続された画像形成装置であって、自装置におけるデータ機密モードの設定の有無を判定する第１の判定手段と、該自装置にデータ機密モードの設定がされていると判定した場合、前記受信側装置におけるデータ機密モードの設定の有無を判定する第２の判定手段と、前記受信側装置にデータ機密モードの設定がされていると判定した場合、該受信側装置に対して前記画像データを送信する送信手段とを備えることを特徴とする。